(57)【特許請求の範囲】
【請求項１】
インナーケーブルによりガイドレールに沿ってウインドガラスを昇降させるウインドレギュレータのキャリアプレートであって、
そのインナーケーブルのケーブルエンドを表側の開口から挿入し、収納する収納部と、その収納部の開口の片側から突出し、開口を一部塞ぐように延びる弾性片とが成形されており、
前記収納部が筒状であり、その内部にケーブルエンドを係止する上下の係止面と、それら上下の係止面に連続する周側面とを有し、その周側面に前記弾性片を成形するための裏面へ貫通する貫通口が形成されており、
前記弾性片が、収納部の開口付近から収納部から離れるように延びる基片と、その先端で湾曲して方向転換する部分である支点部と、その支点部から方向転換して周側面の貫通口が形成されていない側に向けて延び、その先端を開口内に突入させている自由片とから形成されており、
その自由片を、Ｕ字状を内向きに折り畳むように弾性変形させることにより、ケーブルエンドが開口から収納部に収納され、弾性により元に戻った前記自由片により、再び前記開口が塞がれるキャリアプレート。
【請求項２】
前記弾性変形した弾性片が元に戻ろうとする弾性によりケーブルエンドを収納部の内部に押圧し係止している請求項１記載のキャリアプレート。
【請求項３】
前記収納部内に、ケーブルエンドを収納部内に引張る伸び取り部材が収納されると共に、前記弾性片が伸び取り部材の逸脱を規制している請求項１または２記載のキャリアプレート。
【請求項４】
前記キャリアプレートに、ウインドガラスの下方に設けられた左右一対の取付片を固定する取り付け孔が形成され、
その取り付け孔の下方で、前記取付片の下端を載置し、ウインドガラスを支持する左右一対の支持壁と、それら一対の支持壁の内向きの端部から斜め内向き上方に延び、ウインドガラスの取付片をキャリアプレートの取り付け孔に案内する傾斜壁とが形成されている請求項１、２または３のいずれかに記載のキャリアプレート。
【請求項５】
前記キャリアプレートの上端付近で、支持壁と同じ側の面からウインドガラスをガイドする爪片が延びている請求項４記載のキャリアプレート。
【請求項６】
前記キャリアプレートに、板状のガイドレールの二重に折り曲げられた部分をガイドするガイド溝と、
その二重に折り曲げられた部分の裏面側の継ぎ合わせ部分を弾力的に押圧する鉤状の部材とが形成されており、
その鉤状の部材に、ガイドレールに沿って昇降側に延び、先端に向かって次第に外向きに傾斜する案内片が設けられている請求項１、２、３、４または５のいずれかに記載のキャリアプレート。
【発明の詳細な説明】
【技術分野】
【０００１】
本発明はウインドレギュレータのキャリアプレートに関する。さらに詳しくは、組み立てを容易にすることのできるウインドレギュータのキャリアプレートに関する。
【背景技術】
【０００２】
【特許文献１】特開２００２−３６８７１号
【特許文献２】特許第３３００１９５号
【０００３】
従来のキャリアプレートは、例えば図８ａに示すように、基板１０１と、その基板から突出するケーブル係止部１０２とを備えている。符号１０３、１０４はガイドレールと摺動するガイド部である。このキャリアプレート１００では、ケーブル係止部１０２は図８ｂ、図８ｃに示すように箱を伏せた状態で基板１０１上に突出するように一体成形されている。ケーブル係止部１０２の天面１０２ａの中央にはケーブルエンド１０５を通すための貫通孔１０６が形成されると共に、天面１０２ａから上下の端面（係止板）１０２ｂにかけて、ケーブル１０７のみを通し、ケーブルエンドを通さないスリット１０８が形成されている。端面１０２ｂではスリット１０８は上向き、すなわち組み立て後にケーブル１０７が配置されるガイドレール側に向かって開口している。基板１０１のケーブル係止部１０２と対応する部位は、金型が入り込む開口１０９が形成されている。このようなキャリアプレート１００では、ガイド部１０３、１０４には摺動性がすぐれているポリオキシメチレン（ＰＯＭ）などの合成樹脂が用いられ、他の部材はＰＢＴなどの強度が高い合成樹脂が用いられてインサート成形により成形される。
【０００４】
特許文献１には、図９に示すようなニップル（ケーブルエンド）の脱着が容易で、かつ、ケーブルが弛んでもニップルが脱落しにくいウインドレギュレータのケーブル係止構造が開示されている。図９のワイヤ係止構造１１０は、上下方向に伸びる２本のケーブル１１１ａ、１１１ｂと、それらのケーブル１１１ａ、１１１ｂを係止するエンドホルダー１１２とからなる。エンドホルダー１１２は、ブロック状の部材であり、ケーブル１１１ａ、１１１ｂの端部のニップル（ケーブルエンド）１１３を挿入できる円柱状の係止穴１１４と、ケーブル１１１ａ、１１１ｂを案内する案内溝１１５とを連通するように形成されている。
【０００５】
また、特許文献２には、上下方向に延びる突出部を、金型を左右方向のみに抜くことにより成形するものが記載されている。このものは、キャリアプレートに貫通孔を形成することにより、その貫通孔より金型を挿入し、前記突出部を形成している。そのため、金型を簡易にすることができる。
【発明の開示】
【発明が解決しようとする課題】
【０００６】
一般的に、ケーブルエンドは、ケーブルに撓みが生じると、抜ける恐れがある。しかし、それを回避しようとすると、ケーブル係止部の構造は複雑なものになりやすく、成形が困難になりがちである。
【０００７】
そこで、本発明では、確実にケーブルエンドを係止でき、かつ、成形が容易なキャリアプレートを提供することを課題とする。
【課題を解決するための手段】
【０００８】
本発明のキャリアプレート（請求項１）は、インナーケーブルによりガイドレールに沿ってウインドガラスを昇降させるウインドレギュレータのキャリアプレートであって、そのインナーケーブルのケーブルエンドを表側の開口から挿入し、収納する収納部と、その収納部の開口の片側から突出し、開口を一部塞ぐように延びる弾性片とが成形されており、前記収納部が筒状であり、その内部にケーブルエンドを係止する上下の係止面と、それら上下の係止面に連続する周側面とを有し、その周側面に前記弾性片を成形するための裏面へ貫通する貫通口が形成されており、前記弾性片が、収納部の開口付近から収納部から離れるように延びる基片と、その先端で湾曲して方向転換する部分である支点部と、その支点部から方向転換して周側面の貫通口が形成されていない側に向けて延び、その先端を開口内に突入させている自由片とから形成されており、その自由片を、Ｕ字状を内向きに折り畳むように弾性変形させることにより、ケーブルエンドが開口から収納部に収納され、弾性により元に戻った前記自由片により、再び前記開口が塞がれることを特徴としている。
【発明の効果】
【００１５】
本発明のキャリアプレート（請求項１）は、弾性片を弾性変形させながらケーブルエンドを収納部の内部に挿入し、挿入後は弾性片が弾性により元に戻り収納部の開口を塞ぐ。そのため、ケーブルに撓みが生じても弾性片によりケーブルエンドが抜け出るのを防止することができる。
また、前記弾性片が、収納部の開口付近から収納部から離れるように延び、先端で湾曲して方向転換して開口内部に向けて延びる断面略Ｕ字状に形成されているので、ケーブルエンドを挿入する際には、Ｕ字状の弾性片を折り畳むように弾性変形させ、ケーブルエンドが収納部に挿入されると、弾性片が元に戻り、ケーブルエンドの上面に配置されるので、ケーブルエンドが抜けにくい。
【００１６】
このようなキャリアプレートが、前記弾性変形した弾性片が元に戻ろうとする弾性によりケーブルエンドを収納部の内部に押圧し係止している場合は（請求項２）、弾性片の元に戻ろうとする弾性力により、ケーブルエンドを収納部の内部に係止することができる。そのため、キャリアプレートにケーブルエンドを簡単な操作で取り付けることができ、強固に係止できる。
【００１８】
さらに、前記収納部内に、ケーブルエンドを収納部内に引張る伸び取り部材が収納されると共に、前記弾性片が伸び取り部材の逸脱を規制し係止している場合は（請求項３）、少ない部品点数でキャリアプレートに伸び取り機構を設けることができる。
【００１９】
また、前記キャリアプレートに、ウインドガラスの下方に設けられた左右一対の取付片を固定する取り付け孔が形成され、その取り付け孔の下方で、前記取付片の下端を載置し
、ウインドガラスを支持する左右一対の支持壁と、それら一対の支持壁の内向きの端部から斜め内向き上方に延び、ウインドガラスの取付片をキャリアプレートの取り付け孔に案内する傾斜壁とが形成されている場合は（請求項４）、ウインドガラスの自重により取付片が斜面壁に案内されながら、自然とキャリアプレートの取り付け孔付近に配置される。また、ウインドガラスを固定するまでの間、支持壁でウインドガラスを仮置きできる。そのため、組みつけが容易である。
【００２０】
さらに、前記キャリアプレートの上端付近で、支持壁と同じ側の面からウインドガラスをガイドする爪片が延びている場合は（請求項５）、爪片により爪片側へのウインドガラスの移動が規制され、反対側への移動はウインドガラスの取付片がキャリアプレートにぶつかることにより規制されている。さらに、キャリアプレートの取り付け孔に締結具を貫通させる際に、ウインドガラスが移動しないので、締結が容易になる。
【００２１】
また、前記キャリアプレートに、板状のガイドレールの二重に折り曲げられた部分をガイドするガイド溝と、その二重に折り曲げられた部分の裏面側の継ぎ合わせ部分を弾力的に押圧する鉤状の部材とが形成されており、その鉤状の部材に、ガイドレールに沿って昇降側に延び、先端に向かって次第に外向きに傾斜する案内片が設けられている場合は（請求項６）、ガイドレールをキャリアプレートに通す際に、ガイドレールのエッジ部分が鉤状の部材にぶつかったりすることなく、スムーズに案内されるので、組み立てが容易である。
【発明を実施するための最良の形態】
【００２２】
つぎに図面を参照しながら本発明のキャリアプレートの実施の形態を説明する。図１は本発明のキャリアプレートの正面図、図２はそのキャリアプレートを用いたウインドレギュレータの一実施形態を示す正面図、図３は図１のキャリアプレートの要部拡大斜面図、図４は図３のＩ−Ｉ線断面図、図５は図２のウインドレギュレータの要部拡大斜面図、図６ａはウインドレギュレータの他の実施の形態を示す要部拡大斜面図、図６ｂは図６ａの要部拡大斜面図、図７はガイドレールとキャリアプレートとの背面側の概略分解図である。
【００２３】
まず、本発明のキャリアプレートが用いられるウインドレギュレータについて簡単に説明する。図２に示すウインドレギュレータＡは、昇降（上下）方向に延びるガイドレールＧと、そのガイドレールＧの上端に設けられるプーリＰと、そのガイドレールＧの下端に設けられるドラムと、前記ドラムに端部が係止され、プーリＰとの間に配索される上昇用および下降用のインナーケーブル２、２と、そのインナーケーブル２、２に係止されると共に、ウインドガラスＷのガラスホルダ１５が取り付けられるキャリアプレート１と、前記ドラムを回転させてインナーケーブル２、２をドラムに巻き取る駆動装置Ｍとからなる。
【００２４】
前記ウインドレギュレータＡは、ガイドレールの下端にインナーケーブルを巻取りあるいは送り出すドラムが配置されており、そのドラムが駆動装置Ｍによって回転駆動するタイプである。しかし、ガイドレールＧの下端にケーブルガイドを配置し、ドラムをガイドレールＧから離れた場所に配置してもよい。その場合には、インナーケーブルを内部に摺動自在に収納するアウターケーシングを用い、ドラムまでインナーケーブルを案内することもできる。また、図２では、ガイドレールＧに沿ってキャリアプレート１を昇降させているが、前記プーリあるいはケーブルガイドを四方に配置し、それら４つのプーリの間に８の字状にインナーケーブル２を配索する、ガイドレールを用いないタイプのウインドレギュレータでもよい。なお、図２において、その右側および左側がそれぞれ自動車の前側および後側に相当する。
【００２５】
前記インナーケーブル２は、金属素線を複数本撚り合わせた従来公知のものである。そのインナーケーブルのキャリアプレート側の端部には、円柱状のケーブルエンド２ａ（図３参照）が結合されている。そのケーブルエンド２ａは先端部に鍔部２ｂが形成されている。なお、ケーブルエンド２ａは鋳型により金属を流しこんで形成したり、あるいはカシメにより固着することにより結合される。
【００２６】
図１にキャリアプレート１を示す。図１は、車体に組み付けられた際に、車外側（以下、表側という）から見た様子である。以下、図１の見えている側を表側といい、反対を裏側という。そのキャリアプレート１は、板状を呈しており、その中央付近にインナーケーブル２のケーブルエンド２ａを係止する収納部（ケーブル係止部３）が形成されている。そして、そのキャリアプレート１の上端付近には、ウインドガラスＷのガラスホルダーを取り付けるための取付機構が設けられている。また、キャリプレート１の裏側には、ガイドレールＧに沿って、摺動するガイド溝２０ａ（図７参照）が形成されている。
【００２７】
前記ケーブル係止部３は、図３に示すように、キャリアプレート１の表側に開口している箱形状である。その箱の内部形状は、ほぼ円筒状に形成され、空所Ｓを形成している。その空所Ｓには、インナーケーブル２のたわみを取るための伸び取り部材７、７が配置されている（図１参照）。その伸び取り部材７は、ケーブルエンド２ａを空所Ｓ内に引き込む方向に付勢して、インナーケーブル２にテンション（張り）を与えている。また、本実施例では、伸び取り部材７として、圧縮コイルスプリングが用いられている。その圧縮コイルスプリング７は、コイル状の部分をケーブルエンド２ａの円柱状の部分を貫通させ、一端ケーブルエンド２ａの鍔部２ｂに係止している。
【００２８】
前記ケーブル係止部３の円筒状の空所Ｓは、略円形状の上下の係止面４と、周側面５とによって囲まれており、その開口の一部は、空所Ｓの右側の開口縁から連続し、その空所Ｓの開口の上方付近まで延びる弾性片６によって塞がれている。
【００２９】
前記係止面４には、スプリング状の伸び取り部材７の他端側が係止されている。そして、インナーケーブル２は係止面４に形成されたスリット４ａより空所Ｓ内に導かれ、前記スプリング状の部分を貫通し、伸び取り部材７の一端側で、大径のケーブルエンド２ａの鍔部２ｂにより係止されている。図４に示すように、空所Ｓの断面形状と、伸び取り部材７の断面形状はほぼ同じに形成されているので、伸び取り部材７は、ケーブルエンド２ａと共に、周側面５に沿って空所Ｓ内で上下方向に移動できるようにガイドされている。なお、前記空所Ｓの断面形状を多角形状にすることもできる。その場合には、空所の断面形状と前記伸び取り部材７の断面形状とをほぼ同じ形状にするのがよい。また、上昇用および下降用のインナーケーブルのそれぞれのケーブルエンド２ａ、２ａをそれぞれ係止している伸び取り部材７、７の他端同士は所定の距離Ｌ（図１参照）を開けて配置されており、伸びを吸収する余裕がある。また、前記周側面５の右側の略半分ほどは、貫通口５ａにより裏面まで連通している（図３参照）。その貫通口５ａから金型を通すことにより、表側の金型と裏側の金型とで前記弾性片６を成形することができる。
【００３０】
前記弾性片６は、逆Ｕ字状の形状を呈する板バネ状に形成されている。そして、その板バネの一端が周側面５の貫通口５ａが形成されている側の空所Ｓの開後縁から連続している。その弾性片６は、キャリアプレート１の表側に突出する基片６ａと、その基片６ａの先端で、湾曲しながら空所Ｓに向けて方向転換する支点部６ｂと、その支点部６ｂから空所Ｓ内部に先端を突入させている自由片６ｃとから形成されている。そして、前記弾性片６は、全体として逆Ｕ字状を内向きに折り畳むように弾性変形するものであり、その弾性変形の大部分は、自由片６ｃが支点部６ｂを支点として、基片６ａ側に接近することにより行われる。
【００３１】
前記基片６ａは根元付近は厚く形成されており、上方の支点部６ｂに向かうにつれ、次第に薄くなるように形成されている。その支点部６ｂは滑らかに空所Ｓに向けて湾曲しており、屈曲しない程度の肉厚で形成されている。そして、自由片６ｃは空所Ｓの中心にせり出すように湾曲している。そして、中央から先端にかけて肉厚になるように形成され、その先端付近はさらに支点部６ｂ側に傾斜する先端部６ｄを形成している。その先端部６ｄは伸び取り部材７の右上方の周側に沿うように形成されており、伸び取り部材７が空所Ｓおよび貫通口５ａへ逸脱しようとする動きを規制する。
【００３２】
前記自由片６ｃが空所Ｓ側にせり出す程度は、空所Ｓの直径の１／４〜１であり、好ましくは１／４〜１／２である。また、自由片６ｃの下端が空所Ｓの開口から底に向かって突出する程度は、空所Ｓの直径の１／２〜１／３であり、好ましくは２／５程度である。
【００３３】
前記空所Ｓに伸び取り部材７を挿入する際には、ケーブルエンド２ａと共に伸び取り部材７を自由片６ｃに沿って押し込み、自由片６ｃを支点部６ｂを支点とし、基片６ａ側に弾性変形させる。その際、伸び取り部材７が自由片６ｃを滑りながら、次第に空所Ｓ内に導かれる。その伸び取り部材７が、周側面５に達すると、今度は自由片６ｃが空所Ｓの中心側にその弾性により元に戻る。その元に戻った先端部６ｂにて伸び取り部材７の動きを規制する。このように、伸び取り部材７を押し込む簡易な操作で、キャリアプレート１に伸び取り部材７付きのケーブルエンド２ａを係止させることができる。このように、一旦、弾性片６が弾性により元に戻ると、インナーケーブルに弛みが生じても、ケーブルエンド２ａの上方を塞ぐので、ケーブルエンド２ａがケーブル係止部３から抜け出ることがない。
【００３４】
なお、このようなキャリアプレート１は、合成樹脂で一体成形されるのがよい。また、使用される材料はポリブチレンテレフタレート（ＰＢＴ）またはポリエチレンテレフタレート（ＰＥＴ）が好ましく、特にポリオキシメチレン（ＰＯＭ）のような耐磨耗性の高い材料が好ましい。さらに、前記弾性片６を別部材とすることもできる。その場合には、ナイロン（ＰＡ６）あるいはポリプロピレン（ＰＰ）のような柔らかい材質を用いてインサート成形により形成することができる。
【００３５】
また、成形後にキャリアプレート１に収縮や膨張による形状変化があった場合でも、ケーブル係止部３の寸法精度はさほど高くなくともよい。すなわち、弾性片６は、伸び取り部材７を押し込みながら弾性変形し、空所Ｓ内部で戻り、伸び取り部材７の動きを規制できればよいからである。
【００３６】
さらに、伸び取り部材７を空所Ｓに挿入しているが、インナーケーブル２のケーブルエンド２ａのみを挿入してもよい。その場合には、ケーブルエンド２ａを空所Ｓの内周面を摺動するように形成する。
【００３７】
図１に戻って、前記キャリアプレート１のウインドガラスＷを取り付けるための機構は、キャリアプレート１の上方で表側に突き出るように左右方向に延設された帯状壁１１と、その帯状壁１１から連続し、キャリアプレート１の上端の表側の縁から上方に延びている左右一対の爪片１２、１２と、それら左右の爪片１２、１２のさらに外側にキャリアプレート１を貫通して形成された左右一対の取り付け孔１３、１３とからなる。
【００３８】
前記帯状壁１１は、ケーブル係止部３の上方に形成された中央壁１１ａと、その中央壁１１ａの両端から下方に傾斜し、略ハの字状に形成されている傾斜壁１１ｂ、１１ｂと、その傾斜壁１１ｂからさらに外向きに延び、取り付け孔１３の下方に配設される支持壁１１ｃ、１１ｃとからなる。前記中央壁１１ａ、斜面壁１１ｂおよび支持壁１１ｃは、一体に成形されているので、ウインドガラスＷを支持する強度も高く、キャリアプレート１の強度を向上させるためのリブとしても作用する。さらに、前記爪片１２は、中央壁１１ａの両端付近から連続しているので、強度が高い。
【００３９】
また、図５に示すようにウインドガラスＷの下端に設けられたガラスホルダ１５は、断面Ｕ字状で左右に延びるガラス挟み部１５ａと、そのガラス挟み部１５ａから下方に延び、キャリアプレート１の取り付け孔１３に、ボルトＢなどの締結具により取り付けるための取り付け片１５ｂ、１５ｂとを備えている。
【００４０】
次に、前記キャリアプレート１に、ウインドガラスＷを取り付ける様子を説明する。前記ウインドガラスＷの下端に設けられたガラスホルダ１５は、その取り付け片１５ｂ、１５ｂがキャリアプレート１の表側から下降してくる。このとき、前記キャリアプレート１の爪片１２は、ガラスホルダ１５のガラス挟み部１５ａの表側の面に接しながら案内する。一方、ガラスホルダ１５の取り付け片１５ｂはキャリアプレート１の表側の面に接しながら下降している。すなわち、ウインドガラスＷの表側への移動は爪片１２により規制され、裏側への移動は取り付け片１５ｂがキャリアプレート１の表側の面にぶつかることにより規制されている。そのため、ウインドガラスＷは爪片１２によって前側に脱落しないように下降する。
【００４１】
そして、ガラスホルダ１５の取り付け片１５ｂがキャリアプレート１の傾斜壁１１ｂにぶつかると、ウインドガラスＷの自重により、自然と前記斜面壁１１ｂに沿って滑りながら下降する。そのため、ガラスホルダ１５の取り付け片１５ｂはキャリアプレート１の取り付け孔１３に向けて自然に誘導される。そのため、ウインドガラスＷは左右方向に位置決めされながら下降する。
【００４２】
次いで、ガラスホルダ１５の取り付け片１５ｂの先端部分が、キャリアプレート１の支持壁１１ｃの上面に仮置されると、キャリアプレート１の傾斜壁１１ｂにより左右方向の移動が規制され、ガラスホルダ１５の取り付け片１５ｂおよびキャリアプレート１の爪片１２により表裏方向の移動も規制され、キャリアプレート１の支持壁１１ｃにより下方への移動も規制されているので、正確な組み付け位置を保つことができる。
【００４３】
さらに、この状態では前記ボルトＢをキャリアプレート１の取り付け孔１３により裏側から挿入し、表側のガラスホルダ１５の取り付け片１５ｂと締結する際に、ガラスホルダ１５が前記キャリアプレート１の爪片１２により押さえられるので、ボルトによる締結を容易に行うことができる。
【００４４】
図６ａには、キャリアプレートの他の実施の形態を示す。図６のキャリアプレート１には、図５の下から受ける爪片１２に代えて、その両側縁から連続し表側まで延びる爪片１４、１４が形成されている。その爪片１４は、キャリアプレート１の側縁から表側に突出する部分１４ａと、その突出する部分１４ａから垂直内向きにキャリアプレート１の表側の面とほぼ平行に延びる部分１４ｂとからなる略Ｌ字状に形成されている。その爪片１４の平行に延びる部分１４ｂと、キャリアプレート１の表側の面とで、前記ウインドガラスＷの取り付け片１５ｂがガイドされる。また、前記爪片１４の垂直に突出する部分１４ａによれば、ウインドガラスＷの取り付け片１５ｂの横方向の移動もガイドできる。
【００４５】
また、図６ｂに示すように、前記爪片１４の突出する部分１４ａと、キャリアプレート１との間にはスリット状の切り欠き１６が形成されている。その切り欠き１６の幅は、前記爪片１４の平行に延びる部分１４ｂより少し大きいか、ほぼ同じ長さである。そのため、その切り欠き１６より金型を挿入することにより、前記爪片１４の平行に延びる部分１４ｂをキャリアプレート１の表側の面と裏側の面とから挟み込むようにして形成することができる。したがって、複雑なスライド型を使用する必要がない。
【００４６】
図７はキャリアプレート１を裏側（車内側）から見た図である。前記ガイドレールＧは、板状部材であり、中央板Ｇａと、その中央板Ｇａの一端を垂直に下方に折り曲げて、そこからさらに上方へと折り返した二重折り曲げ部分Ｇｂと、その二重折り曲げ部Ｇｂからさらに外側に向かって垂直に折り曲げた鍔状板Ｇｃと、前記中央板Ｇａの他端を垂直上方に折り曲げた垂直板Ｇｄとからなる。
【００４７】
前記キャリアプレート１には、ガイドレールＧの二重折り曲げ部Ｇｂをガイドするガイド溝２０ａと、そのガイド溝２０ａの上方で、キャリアプレート１の移動方向に２箇所形成される上押さえ２０ｂ、２０ｂと、垂直板Ｇｄをガイドする側方の押さえ２０ｃとが形成されている。前記上押さえ２０ｂは、キャリアプレート１から立ち上がる基部と、その基部の先端からガイド溝２０ａの溝を塞ぐようにそのガイド溝２０ａから少し離れた位置で上方に配置されている突出片とからなる。その突出片は、先端にガイド溝２０ａ側に突出する凸部を有する鉤状の部材である。そして、その鉤状の部材の凸部は、二重折り曲げ部Ｇｂの裏面の継ぎ合わせてた部分、すなわち中央部Ｇａと二重折り曲げ部Ｇｂとの屈曲部と、中央板Ｇａと鍔状板Ｇｃとの屈曲部とが継ぎ合わされることにより、その継ぎ目に形成される板の肉厚に起因する屈曲半径により生じる少し窪んだ部分を上方からある程度の弾力でもって押さえることができる。また、前記側方の押さえ２０ｃは、垂直板Ｇｄの上端部分および側面をガイドすることができる断面がＬ字状の部材である。
【００４８】
前記上押さえ２０ｂ、２０ｂには、ガイドレールＧの二重折り曲げ部Ｇｂに沿うように、その上方側の側縁から上方に向けて案内片２０ｄ、２０ｄが延びている。その案内片２０ｄは、前記ガイドレールＧの二重折り曲げ部Ｇｂをガイド溝２０ａの上押さえ２０ｂ、２０ｂに通すのをスムーズに案内できるように、先端に行くにつれて次第に裏側に行くように、すなわち裏面から離れるように傾斜するように形成されている。
【図面の簡単な説明】
【００４９】
【図１】図１は本発明のキャリアプレートの一実施形態を示す正面図である。
【図２】図２はそのキャリアプレートを用いたウインドレギュレータの一実施形態を示す正面図である。
【図３】図３は図１のキャリアプレートの要部拡大斜面図である。
【図４】図４は図３のＩ−Ｉ線断面図である。
【図５】図５は図２の要部拡大斜面図である。
【図６】図６ａはウインドレギュレータの他の実施の形態を示す要部拡大斜面図、図６ｂは図６ａの要部拡大斜面図である。
【図７】図７はガイドレールとキャリアプレートとの背面側の概略分解図である。
【図８】図８ａは従来のキャリアプレートの斜面図、図８ｂはそのキャリアプレートの係止部の一部切り欠き斜面図、図８ｃは図７ａのＩＩ−ＩＩ線断面図である。
【図９】図９は従来の技術を示す斜面図である。
【符号の説明】
【００５０】
１  キャリアプレート
２  インナーケーブル
２ａ  ケーブルエンド
２ｂ  鍔部
３  ケーブル係止部
３ａ  スリット
４  係止面
５  周側面
５ａ  貫通口
６  弾性片
６ａ  基片
６ｂ  支点部
６ｃ  自由片
６ｄ  先端部
７  伸び取り部材
１１  帯状壁
１１ａ  中央壁
１１ｂ  傾斜壁
１１ｃ  支持壁
１２  爪片
１３  取り付け孔
１４  爪片
１４ａ  垂直に突出する部分
１４ｂ  平行に延びる部分
１５  ガラスホルダ
１５ａ  ガラス挟み部
１５ｂ  取り付け片
１６  切り欠き
２０ａ  ガイド溝
２０ｂ  上押え
２０ｃ  側方の押さえ
２０ｄ  案内片
Ａ  ウインドレギュレータ
Ｂ  ボルト
Ｇ  ガイドレール
Ｇａ  中央板
Ｇｂ  二重折り曲げ部
Ｇｃ  鍔状板
Ｇｄ  垂直板
Ｄ  ドラム
Ｍ  駆動装置
Ｐ  インナーケーブル
Ｓ  空所
Ｔ  キャリアプレート
Ｗ  ウインドガラス
Ｍ  駆動装置
【図１】
0005208525.tif 000002
【図２】
0005208525.tif 000003
【図３】
0005208525.tif 000004
【図４】
0005208525.tif 000005
【図５】
0005208525.tif 000006
【図６】
0005208525.tif 000007
【図７】
0005208525.tif 000008
【図８】
0005208525.tif 000009
【図９】
0005208525.tif 000010